(57)【要約】【課題】回路基板に接続されたフレキシブル基板の伝送線路部分まで含めて効率よくシールドできるようにする。【解決手段】電子回路１は、回路基板１０に設けたコネクタ１７、１８からそれぞれフレキシブル基板１１、１２を介してカメラ８等に接続されている。回路基板１０のうちコネクタ１７、１８を含む一部の範囲の周縁に沿って、かつ、当該周縁の一部において不連続であるようにして、金属等の導電性材料からなるシールドフレーム２１、２２が設けられている。同様に金属等からなるシールドカバー１３が、側壁に相当する部分をシールドフレーム２１、２２に係合させて取り付けられ、フレキシブル基板１１、１２のコネクタ部分及び伝送線路部分を無線通信部１５等に対してシールドする。シールドカバー１３はカメラ８に対向する部分に側壁を持たないから、カメラ８の方向に対してフレキシブル基板１１、１２を出入りさせることができる。【選択図】図４
2010251375.tif 000002
【特許請求の範囲】
【請求項１】
回路基板と、
前記回路基板の少なくとも一部の範囲の周縁に沿って設けられると共に、前記周縁の一部において不連続であるように形成されたシールドフレームと、
前記シールドフレームが周縁に沿って設けられた前記回路基板の範囲を覆うように、前記シールドフレームに取り付けられてなるシールドカバーと
を備えたことを特徴とする電子回路。
【請求項２】
前記シールドカバーは前記回路基板に重ねてフレキシブル基板が設けられた箇所を覆うように設けられ、前記フレキシブル基板は前記シールドフレームの不連続箇所を通して前記シールドカバーに覆われた範囲外に接続されたことを特徴とする請求項１に記載の電子回路。
【請求項３】
前記回路基板の前記シールドカバーに覆われた範囲外において、前記シールドフレームの連続箇所に隣接してシールドの必要性が相対的に高い部品を配置し、前記シールドフレームの不連続箇所に隣接してシールドの必要性が相対的に低い部品を配置したことを特徴とする請求項１に記載の電子回路。
【請求項４】
前記シールドフレームの少なくとも一部が、前記回路基板の機械的強度を補うように前記回路基板の面内で延伸されたことを特徴とする請求項１に記載の電子回路。
【発明の詳細な説明】
【技術分野】
【０００１】
本発明は電子回路に係り、特に少なくとも一部に電磁シールドを施した電子回路に関する。
【背景技術】
【０００２】
電子機器の多くは、筐体の内部に実装した回路基板上に半導体や受動部品等の回路素子からなる電子回路を構成して動作させる。回路基板上に構成された電子回路の全部又は一部が、外部から到来するノイズの影響を軽減したり自身が発生するノイズを抑制したりする目的で電磁的にシールドされる場合がある。携帯電話機のような無線装置においては、電波を空中に放射することから、電磁シールド（以下、単にシールドという。）によるノイズ対策がひときわ重視される。
【０００３】
１つの回路基板上に構成された電子回路を複数のブロックに分けて、それらのブロック単位でシールドすることが必要な場合もある。そのような場合には、複数の回路ブロック間を仕切り板で相互にシールドする方法が従来から知られている。また最近では作業効率の向上を目的として、シールドすべき部分を囲むようにして基板上にシールドフレームを取り付け、当該シールドフレームの枠部にシールドカバーを係止させてシールドすべき部分を覆う方法が用いられる（例えば、特許文献１参照。）。
【０００４】
上記の特許文献１に開示された技術は、シールドケース枠体（シールドフレーム）の基板に面した縁を内側に折り曲げて、一部に切欠部を設けると共に該切欠部をはんだ付けすることにより枠体を基板に取り付け、縁を内側に折り曲げて省スペース化を図るというものである。
【０００５】
回路基板上に構成された電子回路の他に、回路基板間や回路基板と他の部品間を接続して信号を伝送するフレキシブル基板がノイズの放射源となる場合がある。近年は伝送信号が高速化しているため、フレキシブル基板のノイズ対策の重要性が高まっている（例えば、特許文献２参照。）。
【０００６】
上記の特許文献２に開示された技術は、回路基板上のコネクタに接続されたフレキシブル基板の当該コネクタとの接続箇所をフェライトコア製の支持板で覆うことにより、フレキシブル基板のコネクタ接続部分をシールドするというものである。
【先行技術文献】
【特許文献】
【０００７】
【特許文献１】特開２００４−２３５５０１号公報（第２、５ページ、図１）
【特許文献２】特開２００６−３０３０８１号公報（第４、５ページ、図１）
【発明の概要】
【発明が解決しようとする課題】
【０００８】
上述した特許文献１に記載された技術は、プリント配線基板上に配置されたシールドすべき電子部品を囲むようにシールドケース枠体を配設するものであるから、シールドケースの枠内と枠外の間を接続するようにフレキシブル基板を通すことができない。したがって、フレキシブル基板のノイズ対策に用いることはできないという問題がある。
【０００９】
上述した特許文献２に記載された技術は、フレキシブル基板と回路基板を接続するコネクタの部分に限ってシールドするものであるから、フレキシブル基板の伝送線路部分をシールドすることはできないという問題がある。
【００１０】
従来、フレキシブル基板の伝送線路部分にまでシールドを必要とする場合は、当該部分に銀ペーストを塗布する等の対策がとられてきた。しかし銀ペーストの塗布は一般に高コストであって、大量に生産、頒布される民生品への適用が難しいという問題があった。
【００１１】
本発明は上記問題を解決するためになされたもので、回路基板に接続されたフレキシブル基板の伝送線路部分まで含めて効率よくシールドできるようにすることを目的とする。
【課題を解決するための手段】
【００１２】
上記目的を達成するために、本発明の電子回路は、回路基板と、前記回路基板の少なくとも一部の範囲の周縁に沿って設けられると共に、前記周縁の一部において不連続であるように形成されたシールドフレームと、前記シールドフレームが周縁に沿って設けられた前記回路基板の範囲を覆うように、前記シールドフレームに取り付けられてなるシールドカバーとを備えたことを特徴とする。
【発明の効果】
【００１３】
本発明によれば、シールドフレームを枠の一部が不連続であるように形成して該不連続箇所にフレキシブル基板を通せるようにすることにより、回路基板に接続されたフレキシブル基板の伝送線路部分まで含めて効率よくシールドすることができる。
【図面の簡単な説明】
【００１４】
【図１】本発明の実施例に係る電子回路を内蔵する携帯電話機の斜視図。
【図２】本発明の実施例に係る電子回路を内蔵する携帯電話機の分解斜視図。
【図３】本発明の実施例に係る電子回路の構成を表す斜視図。
【図４】本発明の実施例に係る電子回路のうち図３においてシールドカバー１３に隠された範囲の構成を含めて表す斜視図。
【図５】本発明の実施例に係るシールドフレーム２１及びシールドフレーム２２の他の部品等との位置関係を図３又は図４における真上の方向から見て表す平面図。
【図６】本発明の実施例に係る電子回路の変形例を図４と同様に表す図。
【発明を実施するための形態】
【００１５】
以下、図１ないし図６を参照して、本発明の実施例を説明する。なお以下の各図を参照しながら上下左右又は水平、垂直（鉛直）をいうときは、特に断らない限り、図が表された紙面における上下左右又は水平、垂直（鉛直）を意味するものとする。また、各図の間で同一の符号は、同一の構成を表すものとする。
【００１６】
図１は、本発明の実施例に係る電子回路１を内蔵する電子機器である携帯電話機１００の外観を表す斜視図である。携帯電話機１００は、長方形（図示するように角部にＲを持たせた長方形に近い形状を含む。）に厚みを持たせた形状をなす筐体１１０の正面（使用時に使用者の側を向く面）の側に、タッチパネル１２０を備えて構成されている。
【００１７】
タッチパネル１２０は、例えば液晶等の表示デバイスに透明な材料からなるタッチセンサを重畳させて構成されたものである。タッチパネル１２０は、表示デバイスの画面上にソフトウェア制御された操作キーを表示して操作入力手段として用いられると共に、各種のテキストや画像を表示することができる表示手段としても用いられる。
【００１８】
図２は、携帯電話機１００を図１に表した状態から裏返して、正面の反対に当る背面側を上にして表した分解斜視図である。図２においては、互いに係合して筐体１１０を構成する第１ケース１１０ａと第２ケース１１０ｂの係合を解除した状態で、内部の構成を示している。携帯電話機１００は、回路基板１０と電池１３０を内蔵している。回路基板１０には次に述べる電子回路１が構成され、その一部がシールドカバー１３に覆われている。
【００１９】
図３は、本発明の実施例に係る電子回路１の構成を表す斜視図である。電子回路１は、回路基板１０に実装された各種の電子部品が導体パターンにより相互に接続されて構成されたものである。以下、電子回路１は例えば携帯電話機に内蔵されるものとして説明する。
【００２０】
電子回路１は、例えばフレキシブル基板からなる接続ケーブルを介して外部と接続することができるように構成されている。電子回路１はその一例として、図３の右寄りに表したカメラ８に対し、フレキシブル基板１１を介して接続することができる。電子回路１はまた、回路基板１０の下側に位置する図示しない表示デバイス（例えば液晶デバイス）に対し、フレキシブル基板１２を介して接続することができる。
【００２１】
フレキシブル基板１１は、カメラ８と電子回路１の間で、例えば数十メガヘルツ（ＭＨｚ）又はそれ以上の周波数成分を含む高速信号をやりとりすることができる。フレキシブル基板１２は、図示しない表示デバイスと電子回路１の間で、例えば数十メガヘルツ（ＭＨｚ）又はそれ以上の周波数成分を含む高速信号をやりとりすることができる。
【００２２】
回路基板１０にフレキシブル基板１１及びフレキシブル基板１２が接続される箇所は、シールドカバー１３によって覆われている。シールドカバー１３は、電子回路１を図３における真上の方向から見たとき、回路基板１０の一部の範囲を覆うように設けられている。シールドカバー１３は金属等の導電性材料から形成され、上記のフレキシブル基板１１及びフレキシブル基板１２を介する高速信号のやりとりに起因するノイズの抑制を主な目的として設けられたものである。
【００２３】
シールドカバー１３は、側壁に相当する部分（回路基板１０のなす平面に垂直に取り付けられる部分）を一部に有しているが、図３におけるカメラ８に対向する部分には側壁を持たず、フレキシブル基板１１及びフレキシブル基板１２の出入りに支障がないようにしている。
【００２４】
電子回路１は、無線通信部１５及び電池制御部１６を有している。無線通信部１５は、図示しないアンテナに接続されている。電子回路１を内蔵する携帯電話機は、無線通信部１５を用いて外部装置との間の無線通信を行うことができる。電池制御部１６は電池１３０に接続され、電池電圧の検出や、電子回路１の個々の部分に対する電池電圧供給の開閉制御を行うことができる。
【００２５】
無線通信部１５は高周波において動作するものであるから、フレキシブル基板１１及びフレキシブル基板１２を発生源とするノイズの許容限度は相対的に低い。電池制御部１６は高周波を扱わないから、同じノイズの許容限度は相対的に高い。したがって、無線通信部１５はフレキシブル基板１１及びフレキシブル基板１２に対するシールドの必要性が相対的に高く、電池制御部１６は同じシールドの必要性が相対的に低い。
【００２６】
図４は、電子回路１のうち図３においてシールドカバー１３に隠された範囲の構成を含めて表す斜視図である。フレキシブル基板１１及びフレキシブル基板１２は、それぞれコネクタ１７及びコネクタ１８を介して回路基板１０に接続されている。
【００２７】
回路基板１０の上に、コネクタ１７、コネクタ１８並びにフレキシブル基板１１及びフレキシブル基板１２のかなりの部分を完全にではないが取り囲むような形で、シールドフレーム２１及びシールドフレーム２２が設けられている。シールドフレーム２１及びシールドフレーム２２は金属等の導電性材料から形成され、シールドカバー１３の側壁に相当する部分と係合して、コネクタ１７、コネクタ１８並びにフレキシブル基板１１及びフレキシブル基板１２のかなりの部分を取り囲むようにしてシールドすることができる。図４に表した他の構成は、図３に同じ符号を付して表した構成とそれぞれ同じであるから、説明を省略する。
【００２８】
図５は、シールドフレーム２１及びシールドフレーム２２の他の部品等との位置関係を、図３又は図４における真上の方向から見て表す平面図である。図５に表した構成は、それぞれ図４に同じ符号を付して表した構成と同じであるから、個別の説明は省略する。
【００２９】
図５においては、シールドフレーム２１及びシールドフレーム２２が完全にではないが取り囲むような形に位置する回路基板１０の一部の範囲を、メッシュ状のハッチングにより表している。いいかえれば、シールドフレーム２１及びシールドフレーム２２は、上記のメッシュ状のハッチングにより表された範囲の周縁に沿って設けられている。
【００３０】
また、シールドフレーム２１及びシールドフレーム２２は上記の周縁の一部において不連続である（シールドフレーム２１及びシールドフレーム２２が連続して閉じた図形を形成するものではない。）。フレキシブル基板１１及びフレキシブル基板１２は、このようなシールドフレーム２１及びシールドフレーム２２の不連続箇所のうち上側の不連続箇所を通して、シールドカバー１３に覆われた範囲外のカメラ８及び図示しない表示デバイスにそれぞれ接続される。
【００３１】
このようにシールドフレームを不連続に形成したことにより、不連続箇所を通してフレキシブル基板を出入りさせることができるから、フレキシブル基板のコネクタの部分だけでなく伝送線路部分も含めてシールドすることができる。しかも、銀ペースト塗布のような方法に比べてはるかに効率がよく、低コストに実現可能である。
【００３２】
シールドフレーム２１及びシールドフレーム２２は、平面的に見て、例えばコの字型、クランク型、又は何らかの折曲げを含む形状に形成されている。シールドフレーム２１及びシールドフレーム２２は、このような形状をとることにより回路基板１０に取り付けたときに自立することができるので、はんだリフローの工程を問題なく通すことができる。
【００３３】
図５に示すように、無線通信部１５及び電池制御部１６が、シールドフレーム２１及びシールドフレーム２２の連続箇所及び不連続箇所にそれぞれ隣接して配置されている。前述したように、無線通信部１５は電池制御部１６と比較してフレキシブル基板１１及びフレキシブル基板１２に対するシールドの必要性が相対的に高いから、シールドフレーム２１及びシールドフレーム２２に隣接して配置する場合にはその連続箇所に隣接させることが望ましい。他方、電池制御部１６は、シールドフレーム２１及びシールドフレーム２２の不連続箇所に隣接させてもその影響は軽微で済む。
【００３４】
図６は、電子回路１の変形例を図４と同様に表す図である。図６に表した変形例においては、シールドフレーム２２の一部が回路基板１０の長手方向に延伸されている（延伸された部分を、シールドフレーム２３とする。）。図６に表した他の構成は、図４に同じ符号を付して表した構成とそれぞれ同じであるから、説明を省略する。
【００３５】
図６に示すようにシールドフレームを延伸することにより、回路基板１０の機械的強度を補うことができる。その結果、回路基板１０の両面に取り付けられた各種の部品が落下時の衝撃により破損したりする可能性を低くすることができる。
【００３６】
以上に説明した本発明の実施例によれば、シールドフレームの一部を不連続にしてフレキシブル基板の出入りを可能にしたことにより、フレキシブル基板の伝送線路部分を含めて効果的にシールドすることができる。
【００３７】
なお、以上の実施例において説明した電子回路１の各構成の形状、サイズ、位置関係、機能等の条件は例示であり、本発明の要旨を逸脱しない範囲でさまざまな変形が可能である。
【符号の説明】
【００３８】
１  電子回路
８  カメラ
１０  回路基板
１１、１２  フレキシブル基板
１３  シールドカバー
１５  無線通信部
１６  電池制御部
１７、１８  コネクタ
２１、２２、２３  シールドフレーム
１００  携帯電話機
１１０  筐体
１１０ａ  第１ケース
１１０ｂ  第２ケース
１２０  タッチパネル
１３０  電池
【図１】
2010251375.tif 000003
【図２】
2010251375.tif 000004
【図３】
2010251375.tif 000005
【図４】
2010251375.tif 000006
【図５】
2010251375.tif 000007
【図６】
2010251375.tif 000008